(57)【要約】【課題】異物の衝撃による騒音を有効に減少することができる組合せ式プレートを提供する。【解決手段】隣接し離間される二つのプレート１１と、固定具２１と、蓋３１と、を含む組合せ式プレートにおいて、各プレート１１は、それぞれサイド１２を有する。各サイド１２には、傾斜段１３と、延長段１４と、が設けられる。プレート１１の外面には緩衝材１６が設けられる。固定具２１の底部には、湾折して形成される螺接部２２が設けられる。固定具２１の両側には、固定アーム２５が設けられ、固定アーム２５の外側には、連接段２７と円弧段２８とが形成される。固定具２１の周面には、通気穴２９が開設される。蓋３１の両側には、連接アーム３２が形成される。連接アーム３２の内側には、固定具２１の外側にある連接段２７と円弧段２８と接合する連接面３３が設けられ、蓋３１の外面には緩衝材３４が設けられる。【選択図】図１
0003153760.tif 000002
【実用新案登録請求の範囲】
【請求項１】
隣接し離間される二つのプレートと、固定具と、蓋と、を含む組合せ式プレートにおいて、
前記各プレートは、それぞれサイドを有し、前記各サイドには、傾斜段と、延長段と、が設けられ、隣接し離間される二つの前記プレートの隣接する前記サイドの前記傾斜段が下外側に延長し、前記プレートの外面には緩衝材が設けられ、
前記固定具の底部には、湾折して形成される螺接部が設けられ、前記固定具の両側には、固定アームがそれぞれ設けられ、前記固定アームの内側が前記二つのプレートと連接するように、前記固定アームの内側には、前記プレートの傾斜段と延長段とに合わせることが可能となるように外側へ傾斜に延長する接合段が形成され、前記固定アームの外側には、連接段と、円弧段と、が形成され、前記固定具の周面には、通気穴が一つ以上開設され、
前記蓋の両側には、連接アームがそれぞれ形成され、前記連接アームの内側には、前記固定具の外側にある前記連接段と前記円弧段と接合する連接面が設けられ、前記蓋の外面には緩衝材が設けられることを特徴とする組合せ式プレート。
【請求項２】
前記各サイドには、上方へ斜めに伸びる傾斜段が形成され、前記傾斜段の末端には、下方に湾折されて伸びる延長段が形成されることを特徴とする請求項１に記載の組合せ式プレート。
【請求項３】
前記固定具の前記螺接部には、螺接具を挿通可能な螺接穴が設けられることを特徴とする請求項１に記載の組合せ式プレート。
【請求項４】
前記固定具の両側にある前記固定アームが下方に傾斜し、
前記各固定アームの外側にある前記連接段の末端には、外側に伸びる前記円弧段が設けられることを特徴とする請求項１に記載の組合せ式プレート。
【請求項５】
前記プレート同士の隣接する前記サイドと前記蓋との間には、気流空間が形成され、
前記蓋の前記連接アームの内側の末端と前記前記プレート同士の隣接する前記サイドの前記延長段との間には、前記気流空間および外部と連通する隙間が形成されることを特徴とする請求項１に記載の組合せ式プレート。
【請求項６】
前記各プレートの前記サイドから遠ざかった表面には、縦方向に沿って伸びる補強リブが一つ以上設けられることを特徴とする請求項１に記載の組合せ式プレート。
【考案の詳細な説明】
【技術分野】
【０００１】
本考案は、建築物用の断熱板に関し、特に、騒音を減少でき、放熱が速くて防炎可能な組合せ式プレートに関するものである。
【背景技術】
【０００２】
建築物の表面または屋根を覆う金属波形プレートは、断熱効果および防水効果を達成することができるが、従来の金属波形プレートは、重量が重くて面積が広いので、運輸および取り付けが極めて面倒であり、且つ吸熱が速くて放熱が遅く、雨が降っているときに、大きい騒音が発生する欠点があった。
【０００３】
また、断熱効果を向上するために、従来の金属波形プレートの底面には断熱材（例えばポリロンプレート又はスポンジなど）が設けられ、そうすると、火事が発生するときには、可燃物である断熱材が溶化して滴下するので、火事の範囲が更に拡大する問題があった。
【考案の概要】
【考案が解決しようとする課題】
【０００４】
本考案の主な目的は、雨、又はその他の異物のプレートに対する衝撃による騒音を有効に減少することができる組合せ式プレートを提供することにある。
【０００５】
本考案の次の目的は、寿命を有効に増加することができる組合せ式プレートを提供することにある。
【０００６】
本考案の別の目的は、防炎効果を有し、火事による損害を減少することができる組合せ式プレートを提供することにある。
【０００７】
本考案の更に別の目的は、通気効果が良くて放熱効果が極めて良い組合せ式プレートを提供することにある。
【課題を解決するための手段】
【０００８】
本考案の請求項１に記載の組合せ式プレートによると、隣接し離間される二つのプレートと、固定具と、蓋と、を含む組合せ式プレートにおいて、各プレートは、それぞれサイドを有し、各サイドには、傾斜段と、延長段と、が設けられる。隣接し離間される二つのプレートの隣接するサイドの傾斜段が下外側に延長し、プレートの外面には緩衝材が設けられる。固定具の底部には、湾折して形成される螺接部が設けられる。固定具の両側には、固定アームがそれぞれ設けられる。固定アームの内側は、二つのプレートと連接するように、固定アームの内側には、プレートの傾斜段と延長段に合せ可能で外側へ傾斜に延長する接合段が形成される。固定アームの外側には、連接段と、円弧段と、が形成される。固定具の周面には、通気穴が一つ以上開設される。蓋は、その両側には連接アームがそれぞれ形成される。連接アームの内側には、固定具の外側にある連接段と円弧段とを接合する連接面が設けられる。蓋の外面には緩衝材が設けられることを特徴とする組合せ式プレートである。
【考案の効果】
【０００９】
本考案の組合せ式プレートによれば、次のような効果がある。
（１）雨、又はその他の異物のプレートに対する衝撃による騒音を有効に減少することができる。
【００１０】
（２）寿命を有効に増加することができる。
【００１１】
（３）防炎効果を有し、火事による損害を減少することができる。
【００１２】
（４）通気効果が良くて、放熱効果が極めて良い。
【図面の簡単な説明】
【００１３】
【図１】本考案の一実施形態による組合せ式プレートの分解斜視図である。
【図２】本考案の一実施形態による組合せ式プレートを分解した状態を示す側面図である。
【図３】本考案の一実施形態による組合せ式プレートを組み合わせた状態を示す側面図である。
【図４】本考案の一実施形態による組合せ式プレートを組み合わせた状態を示す斜視図である。
【図５】図４のＡ−Ａ線の断面図であって、本考案の一実施形態による組合せ式プレート内部にある熱空気の排出を説明する模式図である。
【図６】本考案の一実施形態による組合せ式プレートの別の使用状態を示す模式図である。
【考案を実施するための形態】
【００１４】
以下、本考案の実施の形態を図面に基づいて説明する。
（一実施形態）
まず、図１から図３を参照する。本考案の一実施形態による組合せ式プレートは、隣接し離間される二つのプレート１１と、少なくとも一つの固定具２１と、蓋３１と、を含む。
【００１５】
各プレート１１は、それぞれ湾折されたサイド１２を有する。プレート１１のサイド１２から遠ざかった表面には、縦方向に沿って伸びる補強リブ１１１が形成される。各サイド１２には、上方へ斜めに伸びる傾斜段１３が形成される。傾斜段１３の末端には、下方に湾折されて伸びる延長段１４が形成される。隣接し離間される二つのプレート１１の隣接するサイド１２の傾斜段１３が下方へ外側に延長する。プレート１１の外面には、緩衝材１６（例えばポリロンプレート又はスポンジなど）が設けられる。
【００１６】
固定具２１の底部には、湾折して形成される螺接部２２が設けられる。螺接部２２には螺接穴２３が設けられる。螺接具２４を螺接穴２３に挿通して図示しない屋根の梁に締め付けると、固定具２１が前記梁に固定されるようになる。固定具２１の両側には、下方に傾斜する固定アーム２５がそれぞれ設けられる。固定アーム２５の内側が二つのプレート１１と連接するように、固定アーム２５の内側には、プレート１１の傾斜段１３と延長段１４に合わせることが可能となるように外側へ傾斜して延長する接合段２６が形成される。固定具２１は、固定アーム２５の内側にある接合段２６により、離間される二つのプレート１１のサイド１２に接合される。固定アーム２５の外側には、連接段２７が形成される。連接段２７の末端には、外側に伸びる円弧段２８が形成され、固定具２１の周面には、通気穴２９が一つ以上開設される。
【００１７】
蓋３１の両側には、下方に傾斜する連接アーム３２がそれぞれ形成される。連接アーム３２の内側には、固定具２１の外側にある連接段２７と円弧段２８と接合する連接面３３が設けられる。連接アーム３２は、少しの弾性を有するので、蓋３１と固定具２１とが組合うときには、蓋３１の両側にある連接アーム３２を外側に引くと、蓋３１と固定具２１が順調に接合するようになる。このとき、蓋３１の連接アーム３２の内側にある連接面３３が固定具２１の外側にある連接段２７及び円弧段２８と対応し接合する。また、蓋３１と固定具２１が互いに接合したとき、蓋３１の内部には気流空間４１が形成される。蓋３１の外面には、緩衝材３４（例えばポリロンプレート又はスポンジなど）が設けられる。
【００１８】
図４及び図５に示すように、本実施形態の組合せ式プレートを組付けた後に、プレート１２同士の隣接するサイド１２の延長段１４と蓋３１の連接アーム３２の内側の末端との間には、気流空間４１および外部と連通する隙間４２が形成される。プレート１１同士の隣接するサイド１２と蓋３１との間に形成される気流空間４１により、熱空気は、気流空間４１と、隙間４２と、固定具２１の周面に設けられた通気穴２９と、を順次に通過して外部に排出されるので、放熱効果が良くなる。
【００１９】
そして、プレート１１同士の隣接するサイド１２は下方に斜めに伸びるので、プレート１１の敷き面積が増加し、これにより、材料コストを減少することができる。
【００２０】
また、本考案のプレート１１の表面には、縦方向に沿って伸びる補強リブ１１１が複数形成されるので、プレート１１の強度が増加され、大面積のプレート１１を組付けることができるようになる。図６に示すように、ユーザがプレート１１の適当な箇所に締付具５１を締め付けると、屋根の梁５２などにプレート１１を固定することができ、そしてプレート１１の面積が広すぎることによってプレート１１が変形し易い現象が発生しない。
【００２１】
プレート１１の外面には緩衝材１６が設けられ、且つ蓋３１の外面には緩衝材３４が設けられるので、雨、又はその他の異物がプレート１１に直接に衝撃しなくなる。これにより、プレート１１の寿命を延長することができる。また、プレート１１に対する衝撃による騒音を有効に減少することができる。さらに、プレート１１と蓋３１が錆びなくなる。
【００２２】
また、プレート１１の外面には緩衝材１６が設けられ、且つ蓋３１の外面には緩衝材３４が設けられるので、火事が発生したときには、緩衝材１６、３４の高熱による溶化が発生しても、溶化された緩衝材１６、３４がプレート１１に受けられるので、溶化された緩衝材１６、３４が室内に滴下せず、火事による損害を減少することができる。
【００２３】
上記では、種々の実施の形態および変形例を説明したが、本考案はこれらの内容に限定されるものではない。本考案の技術的思想の範囲内で考えられるその他の態様も本考案の範囲内に含まれる。
【産業上の利用可能性】
【００２４】
本考案は、建築物用の断熱板に適用することができる。
【符号の説明】
【００２５】
１１：プレート、１２：サイド、１３：傾斜段、１４：延長段、１６，３４：緩衝材、２１：固定具、２２：螺接部、２３：螺接穴、２４：螺接具、２５：固定アーム、２６：接合段、２７：連接段、２８：円弧段、２９：通気穴、３１：蓋、３２：連接アーム、３３：連接面、４１：気流空間、４２：隙間、５１：締付具、５２：梁、１１１：補強リブ
【図１】
0003153760.tif 000003
【図２】
0003153760.tif 000004
【図３】
0003153760.tif 000005
【図４】
0003153760.tif 000006
【図５】
0003153760.tif 000007
【図６】
0003153760.tif 000008